(57)【要約】  ＶＮＷ（縦型ナノワイヤ）  ＦＥＴを用いたＳＲＡＭメモリセル（ＭＣ１）において、トランジスタ（ＰＵ１）のＸ方向における両側に、ドライブトランジスタを構成するトランジスタ（ＰＤ１，ＰＤ２）がそれぞれ配置され、トランジスタ（ＰＵ２）のＸ方向における両側に、ドライブトランジスタを構成するトランジスタ（ＰＤ３，ＰＤ４）がそれぞれ配置される。アクセストランジスタ（ＰＧ１）は、トランジスタ（ＰＵ１）のＸ方向における一方の側に配置され、アクセストランジスタ（ＰＧ２）は、トランジスタ（ＰＵ２）のＸ方向における他方の側に配置される。
2019159739.tif 000002
【特許請求の範囲】
【請求項１】
ＳＲＡＭ（Static Random Access Memory）メモリセルを備えた半導体集積回路装置であって、
前記ＳＲＡＭメモリセルは、
第１記憶ノードと、
第２記憶ノードと、
高電圧側電源線と前記第１記憶ノードとの間に設けられた第１導電型の第１トランジスタと、
低電圧側電源線と前記第１記憶ノードとの間に、並列に設けられた第２導電型の第２および第３トランジスタと、
前記高電圧側電源線と前記第２記憶ノードとの間に設けられた前記第１導電型の第４トランジスタと、
前記低電圧側電源線と前記第２記憶ノードとの間に、並列に設けられた前記第２導電型の第５および第６トランジスタと、
ビット線と前記第１記憶ノードとの間に設けられ、ゲートがワード線と接続された前記第２導電型の第７トランジスタと、
反転ビット線と前記第２記憶ノードとの間に設けられ、ゲートが前記ワード線と接続された前記第２導電型の第８トランジスタとを備え、
前記第１、第２および第３トランジスタのゲートは、互いに接続されており、かつ、前記第２記憶ノードと接続されており、
前記第４、第５および第６トランジスタのゲートは、互いに接続されており、かつ、前記第１記憶ノードと接続されており、
前記第１〜第８トランジスタは、ＶＮＷ（Vertical Nanowire：縦型ナノワイヤ）  ＦＥＴであり、
前記第２および第３トランジスタは、前記第１トランジスタの第１方向における両側に、それぞれ配置されており、
前記第５および第６トランジスタは、前記第４トランジスタの前記第１方向における両側に、それぞれ配置されており、
前記第７トランジスタは、前記第１トランジスタの前記第１方向における第１の側に配置されている一方、前記第８トランジスタは、前記第４トランジスタの前記第１方向における、前記第１の側の反対側である第２の側に配置されている
ことを特徴とする半導体集積回路装置。
【請求項２】
請求項１記載の半導体集積回路装置において、
前記ＳＲＡＭメモリセルは、
前記第１方向に延びており、前記第１、第２、第３および第７トランジスタのトップ電極と接続された第１信号配線と、
前記第１方向に延びており、前記第４、第５、第６および第８トランジスタのトップ電極と接続された第２信号配線とを備える
ことを特徴とする半導体集積回路装置。
【請求項３】
請求項２記載の半導体集積回路装置において、
前記ＳＲＡＭメモリセルは、
前記第１方向に延びており、前記第１、第２および第３トランジスタのゲートと接続され、前記第３トランジスタから前記第２の側に引き出された第１ゲート配線と、
前記第１方向に延びており、前記第４、第５および第６トランジスタのゲートと接続され、前記第５トランジスタから前記第１の側に引き出された第２ゲート配線とを備え、
前記第１信号配線は、前記第２ゲート配線と、前記第１方向と垂直をなす第２方向に延びる第１接続配線を介して、電気的に接続されており、
前記第２信号配線は、前記第１ゲート配線と、前記第２方向に延びる第２接続配線を介して、電気的に接続されている
ことを特徴とする半導体集積回路装置。
【請求項４】
請求項１記載の半導体集積回路装置において、
前記第１および第４トランジスタは、前記第１方向と垂直をなす第２方向において、並べて配置されている
ことを特徴とする半導体集積回路装置。
【請求項５】
請求項４記載の半導体集積回路装置において、
前記ＳＲＡＭメモリセルは、
前記第２方向に延びており、平面視で前記第１および第４トランジスタと重なりを有しており、前記第１および第４トランジスタのボトム電極と接続された第１ボトム配線を備える
ことを特徴とする半導体集積回路装置。
【発明の詳細な説明】
【技術分野】
【０００１】
本開示は、縦型ナノワイヤ（ＶＮＷ：Vertical Nanowire）ＦＥＴ（Field Effect Transistor）を備えた半導体集積回路装置に関し、特にＳＲＡＭ（Static Random Access Memory）のメモリセルレイアウト構造に関する。
【背景技術】
【０００２】
ＬＳＩの基本構成要素であるトランジスタは、ゲート長の縮小（スケーリング）により、集積度の向上、動作電圧の低減、および動作速度の向上を実現してきた。しかし近年、過度なスケーリングによるオフ電流と、それによる消費電力の著しい増大が問題となっている。この問題を解決するため、トランジスタ構造を従来の平面型から立体型に変更した立体構造トランジスタが盛んに研究されている。その１つとして、縦型ナノワイヤＦＥＴ（以下、適宜、ＶＮＷ  ＦＥＴという）が注目されている。【０００３】
特許文献１では、ＶＮＷ  ＦＥＴを用いたＳＲＡＭメモリセルのレイアウトが開示されている。
【先行技術文献】
【特許文献】
【０００４】
【特許文献１】米国特許第９６４６９７３号明細書（図２５Ａ）
【発明の概要】
【発明が解決しようとする課題】
【０００５】
特許文献１に開示されたレイアウトでは、ドライブトランジスタのサイズが、他のトランジスタのサイズよりも大きくなっている。ドライブトランジスタのサイズを大きくすることによって、ＳＮＭ（Static Noise Margin）が向上し、デバイスの歩留まりが高まる。ところがその一方で、特許文献１に開示されたレイアウトでは、ドライブトランジスタがロードトランジスタに対して一方の側に配置されている。すなわち、ＳＲＡＭメモリセルを構成するトランジスタの配置が、対称性を有していない。このため、デバイス特性に非対称性が生じてしまう。これは、デバイス特性の悪化や信頼性低下、歩留まり低下等の問題が生じる原因となる。【０００６】
本開示は、ＶＮＷ  ＦＥＴを用いたＳＲＡＭメモリセルについて、ＳＮＭを向上させることができ、かつ、トランジスタ配置の対称性が高いレイアウト構造を提供することを目的とする。
【課題を解決するための手段】
【０００７】
本開示の第１態様では、ＳＲＡＭ（Static Random Access Memory）メモリセルを備えた半導体集積回路装置において、前記ＳＲＡＭメモリセルは、第１記憶ノードと、第２記憶ノードと、高電圧側電源線と前記第１記憶ノードとの間に設けられた第１導電型の第１トランジスタと、低電圧側電源線と前記第１記憶ノードとの間に、並列に設けられた第２導電型の第２および第３トランジスタと、前記高電圧側電源線と前記第２記憶ノードとの間に設けられた前記第１導電型の第４トランジスタと、前記低電圧側電源線と前記第２記憶ノードとの間に、並列に設けられた前記第２導電型の第５および第６トランジスタと、ビット線と前記第１記憶ノードとの間に設けられ、ゲートがワード線と接続された前記第２導電型の第７トランジスタと、反転ビット線と前記第２記憶ノードとの間に設けられ、ゲートが前記ワード線と接続された前記第２導電型の第８トランジスタとを備え、前記第１、第２および第３トランジスタのゲートは、互いに接続されており、かつ、前記第２記憶ノードと接続されており、前記第４、第５および第６トランジスタのゲートは、互いに接続されており、かつ、前記第１記憶ノードと接続されており、前記第１〜第８トランジスタは、ＶＮＷ（Vertical Nanowire：縦型ナノワイヤ）  ＦＥＴであり、前記第２および第３トランジスタは、前記第１トランジスタの第１方向における両側に、それぞれ配置されており、前記第５および第６トランジスタは、前記第４トランジスタの前記第１方向における両側に、それぞれ配置されており、前記第７トランジスタは、前記第１トランジスタの前記第１方向における第１の側に配置されている一方、前記第８トランジスタは、前記第４トランジスタの前記第１方向における、前記第１の側の反対側である第２の側に配置されている。【０００８】
この態様によると、ＳＲＡＭメモリセルにおいて、一方のドライブトランジスタが、並列接続された第２および第３トランジスタによって構成されており、また、他方のドライブトランジスタが、並列接続された第５および第６トランジスタによって構成されている。このため、ドライブトランジスタのサイズを大きくすることができるので、ＳＮＭを向上させることができる。加えて、ＳＲＡＭメモリセルを構成する第１〜第８トランジスタの配置が、高い対称性を有している。このため、デバイス特性における非対称性が抑制されるので、デバイス特性を向上させることができるとともに、半導体集積回路装置の信頼性を高め、歩留まりを高めることができる。
【発明の効果】
【０００９】
本開示によると、ＶＮＷ  ＦＥＴを用いたＳＲＡＭメモリセルについて、ＳＮＭを向上させることができ、かつ、トランジスタ配置の対称性が高いレイアウト構造を実現することができる。
【図面の簡単な説明】
【００１０】
【図１】ＶＮＷ  ＦＥＴを用いたＳＲＡＭメモリセルを備えた回路ブロックの全体構成例を示す図
【図２】第１実施形態に係るＳＲＡＭメモリセルのレイアウト構造の例を示す平面図
【図３】図２のレイアウト構造を示す層別の平面図
【図４】図２のレイアウト構造を示す層別の平面図
【図５】図２のレイアウト構造を示す層別の平面図
【図６】図２のレイアウト構造を示す層別の平面図
【図７】（ａ），（ｂ）は図２のレイアウト構造を示す断面図
【図８】図２の各セルの回路図であり、（ａ）はＳＲＡＭメモリセル、（ｂ）〜（ｄ）はダミーメモリセル
【図９】第１実施形態におけるタップセルのレイアウト構造の例を示す平面図
【図１０】図９のレイアウト構造を示す層別の平面図
【図１１】図９のレイアウト構造を示す層別の平面図
【図１２】図９のレイアウト構造を示す層別の平面図
【図１３】図９のレイアウト構造を示す層別の平面図
【図１４】第１実施形態におけるタップセルのレイアウト構造の例を示す平面図
【図１５】図１４のレイアウト構造を示す層別の平面図
【図１６】図１４のレイアウト構造を示す層別の平面図
【図１７】図１４のレイアウト構造を示す層別の平面図
【図１８】図１４のレイアウト構造を示す層別の平面図
【図１９】第２実施形態に係るＳＲＡＭメモリセルのレイアウト構造の例を示す平面図
【図２０】図１９のレイアウト構造を示す層別の平面図
【図２１】図１９のレイアウト構造を示す層別の平面図
【図２２】第２実施形態におけるタップセルのレイアウト構造の例を示す平面図
【図２３】第２実施形態におけるタップセルのレイアウト構造の例を示す平面図
【図２４】縦型ナノワイヤＦＥＴの基本構造例を示す模式図であり、（ａ）は断面図、（ｂ）は平面図
【図２５】（ａ），（ｂ）は縦型ナノワイヤＦＥＴの基本構造例であって、ローカル配線を用いた構造例を示す模式平面図
【発明を実施するための形態】
【００１１】
以下、実施の形態について、図面を参照して説明する。以下の実施の形態では、半導体集積回路装置はＳＲＡＭメモリセルを備えており、このＳＲＡＭメモリセルは、いわゆる縦型ナノワイヤＦＥＴ（ＶＮＷ  ＦＥＴ）を備えるものとする。
【００１２】
図２４はＶＮＷ  ＦＥＴの基本構造例を示す模式図であり、（ａ）は断面図、（ｂ）は平面図である。なお、図２４（ｂ）では、メタル配線の図示を省いており、また、理解のしやすさのために、実際の平面視では見えない構成要素を図示している。
【００１３】
図２４に示すように、半導体基板５０１上に、Ｐ型ウェル５０２とＮ型ウェル５０３が形成されている。ただし、半導体基板５０１がＰ型基板であるとき、Ｐ型ウェルを形成しなくてもよい。Ｐ型ウェル５０２上に、Ｎ型トランジスタであるＶＮＷ  ＦＥＴ５１０が形成されており、Ｎ型ウェル５０３上に、Ｐ型トランジスタであるＶＮＷ  ＦＥＴ５２０が形成されている。５０４は絶縁膜、５０５は層間絶縁膜である。
【００１４】
ＶＮＷ  ＦＥＴ５１０は、ソース／ドレイン電極となるボトム電極５１１と、ソース／ドレイン電極となるトップ電極５１２と、ボトム電極５１１とトップ電極５１２との間に、縦方向（基板面に対して垂直方向）に形成されたナノワイヤ５１３とを備える。ボトム電極５１１およびトップ電極５１２は、Ｎ導電型にドーピングされている。ナノワイヤ５１３の少なくとも一部がチャネル領域となる。ナノワイヤ５１３の周囲にはゲート絶縁膜５１５が形成されており、さらにその周囲にゲート電極５１４が形成されている。なお、ゲート電極５１４はナノワイヤ５１３の周囲全体を囲んでいてもよいし、ナノワイヤ５１３の周囲の一部のみを囲んでいてもよい。ゲート電極５１４がナノワイヤ５１３の周囲の一部のみを囲んでいる場合は、ゲート絶縁膜５１５はゲート電極５１４がナノワイヤ５１３を囲んでいる部分にのみ形成されていてもよい。
【００１５】
ボトム電極５１１は、半導体基板５０１の上面に沿って広がるように形成されたボトム領域５１６と接続されている。ボトム領域５１６も、Ｎ導電型にドーピングされている。ボトム領域５１６の表面にはシリサイド領域５１７が形成されている。また、トップ電極５１２の周囲に、サイドウォール５１８が形成されている。トップ電極５１２の上に、シリサイド領域５１９が形成されている。ただし、サイドウォール５１８およびシリサイド領域５１９は形成しなくてもよい。
【００１６】
同様に、ＶＮＷ  ＦＥＴ５２０は、ソース／ドレイン電極となるボトム電極５２１と、ソース／ドレイン電極となるトップ電極５２２と、ボトム電極５２１とトップ電極５２２との間に、縦方向に形成されたナノワイヤ５２３とを備える。ボトム電極５２１およびトップ電極５２２は、Ｐ導電型にドーピングされている。ナノワイヤ５２３の少なくとも一部がチャネル領域となる。ナノワイヤ５２３の周囲にはゲート絶縁膜５２５が形成されており、さらにその周囲にゲート電極５２４が形成されている。
【００１７】
ボトム電極５２１は、半導体基板５０１の上面に沿って広がるように形成されたボトム領域５２６と接続されている。ボトム領域５２６も、Ｐ導電型にドーピングされている。ボトム領域５２６の表面にはシリサイド領域５２７が形成されている。また、トップ電極５２２の周囲に、サイドウォール５２８が形成されている。トップ電極５２２の上に、シリサイド領域５２９が形成されている。ただし、サイドウォール５２８およびシリサイド領域５２９は形成しなくてもよい。
【００１８】
図２４の構造では、ＶＮＷ  ＦＥＴ５１０のゲート電極領域５１４とＶＮＷ  ＦＥＴ５２０のゲート電極領域５２４とが、ゲート配線５３１によって接続されている。また、ボトム領域５１６、シリサイド領域５１９、ゲート配線５３１、シリサイド領域５２９およびボトム領域５２６は、それぞれ、コンタクト５３２およびコンタクト５４１を介して、メタル配線層Ｍ１に形成された配線５４２に接続されている。なお、メタル配線層Ｍ１のさらに上層に、メタル配線層を積層することができる。
【００１９】
半導体基板５０１は、例えば、バルクＳｉ、ゲルマニウム、その化合物や合金等によって構成されている。Ｎ型ドーパントの例としては、Ａｓ、Ｐ、Ｓｂ、Ｎ、Ｃまたはこれらの組み合わせ等がある。Ｐ型ドーパントの例としては、Ｂ、ＢＦ２、Ｉｎ、Ｎ、Ｃまたはこれらの組み合わせ等がある。また、ＶＮＷ  ＦＥＴ５１０，５２０の平面形状（ナノワイヤ５１３，５２３の横断面形状）は、例えば、円形、矩形、楕円形等であってもよい。
【００２０】
絶縁膜５０４の材質は、例えば、ＳｉＮ、ＳｉＣＮ等である。層間絶縁膜５０５の材料は、例えば、ＳｉＯ、ＴＥＯＳ、ＰＳＧ、ＢＰＳＧ、ＦＳＧ、ＳｉＯＣ、ＳＯＧ、Spin on Polymers、ＳｉＣ、または、これらの混合物等がある。シリサイド領域５１７，５２７の材質は、例えば、ＮｉＳｉ、ＣｏＳｉ、ＴｉＳｉ、ＷＳｉ等である。
【００２１】
ゲート電極５１４，５２４、および、ゲート配線５３１の材料は、例えば、ＴｉＮ、ＴａＮ、ＴｉＡｌ、Ｔｉ−containing Metal、Ｔａ−containing Metal、Ａｌ−containing Metal、Ｗ−containing Metal、ＴｉＳｉ、ＮｉＳｉ、ＰｔＳｉ、polysilicon with silicide、これらの組み合わせ等がある。ゲート絶縁膜５１５，５２５の材料は、例えば、ＳｉＯＮ、Ｓｉ３Ｎ４、Ｔａ２Ｏ５、Ａｌ２Ｏ３、Ｈｆ  oxide、Ｔａ  oxide、Ａｌ  oxide等がある。また、ｋ値は７以上であることが好ましい。
【００２２】
トップ電極５１２，５２２上に設けるシリサイド領域５１９，５２９の材料としては、ＮｉＳｉ、ＣｏＳｉ、ＭｏＳｉ、ＷＳｉ、ＰｔＳｉ、ＴｉＳｉまたはこれらの組み合わせ等がある。また、他の構成として、Ｗ、Ｃｕ、Ａｌ等のメタルや、ＴｉＮ、ＴａＮ等の合金等、不純物注入された半導体等、またはこれらの組み合わせとしてもよい。サイドウォール５１８，５２８の材料としては、例えば、ＳｉＮ、ＳｉＯＮ、ＳｉＣ、ＳｉＣＮ、ＳｉＯＣＮ等がある。
【００２３】
コンタクト５３２の材料としては、例えば、Ｔｉ、ＴｉＮ、Ｔａ、ＴａＮ等がある。また、Ｃｕ、Ｃｕ−arroy、Ｗ、Ａｇ、Ａｕ、Ｎｉ、Ａｌ等がある。あるいは、Ｃｏ、Ｒｕでもよい。
【００２４】
図２５はＶＮＷ  ＦＥＴの基本構造例であって、ローカル配線を用いた構造例を示す。図２５（ａ）では、メタル配線層Ｍ１と、ＶＮＷ  ＦＥＴ５１０のトップ電極５１２およびＶＮＷ  ＦＥＴ５２０のトップ電極５２２との間に、ローカル配線５３４が形成されている。ボトム領域５１６，５２６およびゲート配線５３１は、それぞれ、コンタクト５３３、ローカル配線５３４およびコンタクト５４１を介して、メタル配線層Ｍ１に形成された配線５４２に接続されている。また、シリサイド領域５１９，５２９は、それぞれ、ローカル配線５３４およびコンタクト５４１を介して、メタル配線層Ｍ１に形成された配線５４２に接続されている。
【００２５】
図２５（ｂ）では、メタル配線層Ｍ１とボトム領域５１６，５２６との間に、ローカル配線５３５が形成されている。言い換えると、ローカル配線５３５は、図２５（ａ）におけるコンタクト５３３およびローカル配線５３４が一体となったものに相当する。シリサイド領域５３６は、ローカル配線５３５を形成する工程において、エッチングストッパとして用いられる。
【００２６】
以下の説明では、ＶＮＷ  ＦＥＴのボトム電極、トップ電極、ゲート電極のことを、適宜、単にボトム、トップ、ゲートという。また、縦型ナノワイヤ、トップ、ボトムおよびゲートからなる単位構成が、１個または複数個によって、１個のＶＮＷ  ＦＥＴを構成する場合、この単位構成のことを単に「ＶＮＷ」といい、ＶＮＷ  ＦＥＴと区別するものとする。また、「ＶＤＤ」は電源電圧または高電圧側電源線を示し、「ＶＳＳ」は電源電圧または低電圧側電源線を示す。
【００２７】
なお、以下の説明では、図２等の平面図において、図面横方向をＸ方向（第１方向に相当）、図面縦方向をＹ方向（第２方向に相当）としている。また、本明細書において、「同一配線幅」等のように、幅等が同じであることを意味する表現は、製造上のばらつき範囲を含んでいるものとする。
【００２８】
（第１実施形態）
図１は半導体集積回路装置における回路ブロックの全体構成例を示す図である。図１の回路ブロックは、ＶＮＷ  ＦＥＴを用いたＳＲＡＭメモリセル（以下、適宜、単にメモリセルという）を含む。メモリセルアレイ１，２は、それぞれ、Ｘ方向およびＹ方向にアレイ状に配置された複数のメモリセル３を含む。メモリセルアレイ１，２はＹ方向に並べて配置されている。メモリセルアレイ１，２の周囲には、ダミーメモリセル４が配置されている。ダミーメモリセル４は、メモリセルアレイ１，２の端部のメモリセルを構成するＶＮＷ  ＦＥＴ等の製造ばらつきを抑制するために配置されている。メモリセルアレイ１，２の上下には、タップセル５が配置されている。タップセル５は基板またはウェルに電源電圧を供給する。
【００２９】
図２〜図７は第１実施形態に係るメモリセルのレイアウト構造の例を示す図である。図２は全体平面図、図３〜図６は層別の平面図である。具体的には、図３はＶＮＷ  ＦＥＴおよびその下の層を示し、図４はローカル配線およびＭ１配線を示し、図５はＭ１およびＭ２配線を示し、図６はＭ２およびＭ３配線を示す。図７（ａ），（ｂ）は図２の平面視横方向の断面図であり、図７（ａ）は線Ａ−Ａ’の断面、図７（ｂ）は線Ｂ−Ｂ’の断面である。
【００３０】
なお、図２等の平面図において縦横に走る点線、および、図７等の断面図において縦に走る点線は、設計時に部品配置を行うために用いるグリッドを示す。グリッドは、Ｘ方向において等間隔に配置されており、またＹ方向において等間隔に配置されている。なお、グリッド間隔は、Ｘ方向とＹ方向とにおいて同じであってもよいし異なっていてもよい。また、グリッド間隔は、層ごとに異なっていてもかまわない。例えば、ＶＮＷ  ＦＥＴのグリッドとＭ１配線のグリッドとが、異なる間隔で配置されていてもよい。さらに、各部品は必ずしもグリッド上に配置される必要はない。ただし、製造ばらつきを抑制する観点から、部品はグリッド上に配置される方が好ましい。
【００３１】
また、本実施形態に係るデバイス構造は、図２５（ａ）の構造を前提としている。ただし、図２４や図２５（ｂ）の構造や、他のデバイス構造を前提とした構造にもなり得る。以降の実施形態についても同様である。また、図を分かりやすくするために、ウェル、ＳＴＩ、各絶縁膜、ボトム上のシリサイド層、トップ上のシリサイド層、および、トップのサイドウォールについては、図示を省略している。以降の図についても同様である。
【００３２】
また図８（ａ）は図２〜図７に示すメモリセルの回路図である。本実施形態に係るメモリセルは、図８（ａ）に示す１ポートメモリセルを実現している。なお、レイアウトの都合上、ビット線ＢＬと反転ビット線ＢＬＸの接続位置が逆になっている場合がある。また、図８（ｂ）〜（ｄ）は、後述するダミーメモリセルの回路図である。
【００３３】
図８（ａ）に示すように、本実施形態に係るメモリセルは、基本的な構成は６Ｔ型の１ポートメモリセルと同様である。ただし、ドライブトランジスタが、並列接続された２個のトランジスタによって構成されている。具体的には、一方のドライブトランジスタが、並列接続されたトランジスタＰＤ１，ＰＤ２によって構成されており、他方のトランジスタが、並列接続されたトランジスタＰＤ３，ＰＤ４によって構成されている。すなわち、トランジスタＰＵ１と、並列接続されたトランジスタＰＤ１，ＰＤ２とが、ＶＤＤ−ＶＳＳ間に直列に接続されている。トランジスタＰＵ１，ＰＤ１，ＰＤ２はゲート同士が接続されている。トランジスタＰＵ２と、並列接続されたトランジスタＰＤ３，ＰＤ４とが、ＶＤＤ−ＶＳＳ間に直列に接続されている。トランジスタＰＵ２，ＰＤ３，ＰＤ４はゲート同士が接続されている。さらに、本実施形態に係るメモリセルは、ゲートがワード線ＷＬに接続されたアクセストランジスタであるトランジスタＰＧ１，ＰＧ２を有する。トランジスタＰＵ１，ＰＵ２はＰ導電型であり、トランジスタＰＤ１，ＰＤ２，ＰＤ３，ＰＤ４，ＰＧ１，ＰＧ２はＮ導電型である。トランジスタＰＵ１，ＰＤ１，ＰＤ２の接続ノードは記憶ノードＡであり、トランジスタＰＵ２，ＰＤ３，ＰＤ４のゲートと接続されている。トランジスタＰＵ２，ＰＤ３，ＰＤ４の接続ノードは記憶ノードＢであり、トランジスタＰＵ１，ＰＤ１，ＰＤ２のゲートと接続されている。トランジスタＰＧ１は記憶ノードＡと反転ビット線ＢＬＸとの間に接続されており、トランジスタＰＧ２は記憶ノードＢとビット線ＢＬとの間に接続されている。
【００３４】
図２〜図６では、隣接配置された４個のメモリセルＭＣ１，ＭＣ２，ＭＣ３，ＭＣ４と、その周辺のレイアウトを示している。なお、ここでは説明の便宜上、メモリセルアレイは４個のメモリセルＭＣ１，ＭＣ２，ＭＣ３，ＭＣ４からなり、メモリセルアレイの周囲にダミーメモリセルが配置されているものとしている。メモリセルアレイの上下（Ｙ方向における両側）に、ダミーメモリセルＤＣＡ１〜ＤＣＡ４が配置されている。メモリセルアレイの左右（Ｘ方向における両側）に、ダミーメモリセルＤＣＢ１〜ＤＣＢ４が配置されている。メモリセルアレイの四隅の先に、ダミーメモリセルＤＣＣ１〜ＤＣＣ４が配置されている。
【００３５】
各メモリセルＭＣ１〜ＭＣ４は、基本的には、同一構造を有する。ただし、メモリセルＭＣ２はメモリセルＭＣ１を上下（Ｙ方向）に反転した構造であり、メモリセルＭＣ３はメモリセルＭＣ１を左右（Ｘ方向）に反転した構造であり、メモリセルＭＣ４はメモリセルＭＣ３を上下に反転した構造（メモリセルＭＣ２を左右に反転した構造でもある）である。また、図８（ｂ）はダミーメモリセルＤＣＡ１〜ＤＣＡ４の回路図、図８（ｃ）はダミーメモリセルＤＣＢ１〜ＤＣＢ４の回路図、図８（ｄ）はダミーメモリセルＤＣＣ１〜ＤＣＣ４の回路図である。
【００３６】
以下、メモリセルＭＣ１を例にとって、レイアウト構造の詳細について説明する。
【００３７】
トランジスタＰＵ１，ＰＵ２，ＰＤ１，ＰＤ２，ＰＤ３，ＰＤ４，ＰＧ１，ＰＧ２は、ＶＮＷ  ＦＥＴであり、それぞれ１個のＶＮＷからなる。トランジスタＰＵ１，ＰＤ１，ＰＤ２，ＰＧ１は、Ｘ方向に並んで配置されている。トランジスタＰＵ２，ＰＤ３，ＰＤ４，ＰＧ２は、Ｘ方向に並んで配置されている。トランジスタＰＵ１の左右（Ｘ方向における両側）に、トランジスタＰＤ１，ＰＤ２がそれぞれ配置されている。トランジスタＰＵ２の左右（Ｘ方向における両側）に、トランジスタＰＤ３，ＰＤ４がそれぞれ配置されている。トランジスタＰＵ１，ＰＵ２はＹ方向に並んで配置されている。トランジスタＰＧ１は、トランジスタＰＵ１の左側（Ｘ方向における第１の側）であって、トランジスタＰＤ１のさらに左に配置されている。トランジスタＰＧ２は、トランジスタＰＵ２の右側（Ｘ方向における第２の側）であって、トランジスタＰＤ４のさらに右に配置されている。Ｐ導電型のトランジスタＰＵ１，ＰＵ２の下にはＮウェルが形成されており（図示は省略）、Ｎ導電型のトランジスタＰＧ１，ＰＧ２，ＰＤ１，ＰＤ２，ＰＤ３，ＰＤ４の下には、Ｐ基板がある、または、Ｐウェルが形成されている。
【００３８】
ボトム配線１１，１２，１３，１４，１５，１６，１７が形成されている。ボトム配線１１，１２，１３，１４，１５，１６，１７は、メモリセルアレイ全体にわたって、Ｙ方向に延びている。ボトム配線１１，１３，１５，１７は電源電圧ＶＳＳを供給する。ボトム配線１４は電源電圧ＶＤＤを供給する。ボトム配線１２はメモリセルＭＣ１，ＭＣ２に接続されるビット線ＢＬであり、ボトム配線１６はメモリセルＭＣ１，ＭＣ２に接続される反転ビット線ＢＬＸである。
【００３９】
トランジスタＰＵ１，ＰＵ２のボトムは、電源電圧ＶＤＤを供給するボトム配線１４に接続されている。トランジスタＰＤ１，ＰＤ３のボトムは、電源電圧ＶＳＳを供給するボトム配線１３に接続されている。トランジスタＰＤ２，ＰＤ４のボトムは、電源電圧ＶＳＳを供給するボトム配線１５に接続されている。トランジスタＰＧ１のボトムは、ビット線ＢＬであるボトム配線１２に接続されている。トランジスタＰＧ２のボトムは、反転ビット線ＢＬＸであるボトム配線１６に接続されている。
【００４０】
トランジスタＰＵ１，ＰＤ１，ＰＤ２のゲート同士は、Ｘ方向に延びるゲート配線２１によって接続されている。ゲート配線２１は、トランジスタＰＤ２のゲートから、Ｘ方向における図面右側に引き出されている。トランジスタＰＧ１のゲートから、Ｘ方向における図面左側にゲート配線２２が引き出されている。トランジスタＰＵ２，ＰＤ３，ＰＤ４のゲート同士は、Ｘ方向に延びるゲート配線２３によって接続されている。ゲート配線２３は、トランジスタＰＤ３のゲートから、Ｘ方向における図面左側に引き出されている。トランジスタＰＧ２のゲートから、Ｘ方向における図面右側にゲート配線２４が引き出されている。
【００４１】
トランジスタＰＵ１，ＰＤ１，ＰＤ２，ＰＧ１のトップは、Ｘ方向に延びるローカル配線３１に接続されている。ローカル配線３１は、ビアを介して、Ｙ方向に延びるＭ１配線４１と接続されている。Ｍ１配線４１は、平面視でゲート配線２３と重なりを有する範囲まで延びており、ビアおよびローカル配線を介して、ゲート配線２３と接続されている。すなわち、トランジスタＰＵ１，ＰＤ１，ＰＤ２，ＰＧ１のトップと、トランジスタＰＵ２，ＰＤ３，ＰＤ４のゲートとが、ローカル配線３１、Ｍ１配線４１、および、ゲート配線２３を介して接続されている。ローカル配線３１、Ｍ１配線４１、および、ゲート配線２３が、記憶ノードＡに対応する。ローカル配線３１は、第１信号配線の一例である。Ｍ１配線４１は、第１接続配線の一例である。
【００４２】
トランジスタＰＵ２，ＰＤ３，ＰＤ４，ＰＧ２のトップは、Ｘ方向に延びるローカル配線３２に接続されている。ローカル配線３２は、ビアを介して、Ｙ方向に延びるＭ１配線４２と接続されている。Ｍ１配線４２は、平面視でゲート配線２１と重なりを有する範囲まで延びており、ビアおよびローカル配線を介して、ゲート配線２１と接続されている。すなわち、トランジスタＰＵ２，ＰＤ３，ＰＤ４，ＰＧ２のトップと、トランジスタＰＵ１，ＰＤ１，ＰＤ２のゲートとが、ローカル配線３２、Ｍ１配線４２、および、ゲート配線２１を介して接続されている。ローカル配線３２、Ｍ１配線４２、および、ゲート配線２１が、記憶ノードＢに対応する。ローカル配線３２は、第２信号配線の一例である。Ｍ１配線４２は、第２接続配線の一例である。
【００４３】
ワード線ＷＬであるＭ２配線５１は、Ｘ方向に延びている。Ｍ２配線５１は、Ｙ方向に延びるＭ１配線４３、ローカル配線、および、ビアを介して、ゲート配線２２と接続されている。また、Ｍ２配線５１は、Ｙ方向に延びるＭ１配線４４、ローカル配線、および、ビアを介して、ゲート配線２４と接続されている。すなわち、トランジスタＰＧ１，ＰＧ２のゲートは、Ｍ１配線４３，４４を介して、Ｍ２配線５１すなわちワード線ＷＬに接続されている。
【００４４】
また、電源電圧ＶＳＳを供給するＭ２配線５２，５３は、平面視でメモリセルＭＣ１と重なるように、Ｘ方向に延びている。ただし、Ｍ２配線５２，５３は、メモリセルＭＣ１と直接には接続されていない。
【００４５】
Ｍ３配線６１，６２，６３，６４，６５，６６，６７が形成されている。Ｍ３配線６１，６２，６３，６４，６５，６６，６７は、メモリセルアレイ全体にわたって、Ｙ方向に延びている。Ｍ３配線６２はメモリセルＭＣ１，ＭＣ２に接続されるビット線ＢＬであり、Ｍ３配線６６はメモリセルＭＣ１，ＭＣ２に接続される反転ビット線ＢＬＸである。Ｍ３配線６２，６６は、メモリセルＭＣ１と直接には接続されていない。ただし、後述するように、タップセルにおいて、Ｍ３配線６２は、ビット線ＢＬに対応するボトム配線１２と接続されており、Ｍ３配線６６は、反転ビット線ＢＬＸに対応するボトム配線１６と接続されている。
【００４６】
また、Ｍ３配線６１，６３，６５，６７は電源電圧ＶＳＳを供給する。Ｍ３配線６４は電源電圧ＶＤＤを供給する。ただし、Ｍ３配線６１，６３，６５，６７およびＭ３配線６４は、メモリセルＭＣ１と直接には接続されていない。Ｍ３配線６１，６３，６５，６７は、Ｍ２配線５２，５３と、ビアを介して接続されている。
【００４７】
本実施形態に係るＳＲＡＭメモリセルでは、一方のドライブトランジスタが並列接続された２個のトランジスタＰＤ１，ＰＤ２によって構成されており、他方のドライブトランジスタが並列接続された２個のトランジスタＰＤ３，ＰＤ４によって構成されている。これにより、ドライブトランジスタのサイズを大きくすることができるので、ＳＮＭが向上し、歩留まりを高めることができる。また、メモリセルの読み出し電流が増加するため、読み出し速度が速くなる。加えて、ＳＲＡＭメモリセルを構成するトランジスタＰＵ１，ＰＵ２，ＰＤ１，ＰＤ２，ＰＤ３，ＰＤ４，ＰＧ１，ＰＧ２の配置が、高い対称性を有している。このため、デバイス特性における非対称性が抑制されるので、デバイス特性を向上させることができるとともに、半導体集積回路装置の信頼性を高め、歩留まりを高めることができる。
【００４８】
また、各ボトム配線はＹ方向に延びており、配線幅は同一であり、かつ、配線ピッチは一定である。各ゲート配線はＸ方向に延びており、配線幅は同一であり、かつ、配線ピッチは一定である。各ローカル配線はＸ方向に延びており、配線幅は同一であり、かつ、配線ピッチは一定である。各Ｍ１配線はＹ方向に延びており、配線幅は同一であり、かつ、配線ピッチは一定である。各Ｍ２配線はＸ方向に延びており、配線幅は同一であり、かつ、配線ピッチは一定である。各Ｍ３配線はＹ方向に延びており、配線幅は同一であり、かつ、配線ピッチは一定である。
【００４９】
したがって、半導体集積回路装置の製造精度が向上し、デバイス特性のばらつきが抑制される。なお、各層における配線は、必ずしも全てが、方向、配線幅、または、配線ピッチが同一でなくてもかまわない。
【００５０】
（タップセルのレイアウト）
タップセルの機能は、基板またはウェルに電源電位を供給することである。これに加えて本実施形態では、タップセルは、ビット線ＢＬに対応するボトム配線およびＭ３配線を接続するとともに、反転ビット線ＢＬＸに対応するボトム配線およびＭ３配線を接続する構成を有している。
【００５１】
図９〜図１３は本実施形態におけるタップセルのレイアウト構成例である。図９は全体平面図、図１０〜図１３は層別の平面図である。具体的には、図１０はＶＮＷ  ＦＥＴおよびその下の層を示し、図１１はローカル配線およびＭ１配線を示し、図１２はＭ１およびＭ２配線を示し、図１３はＭ２およびＭ３配線を示す。図９〜図１３に示すレイアウトは、上述したメモリセルアレイの図面下側に位置しており、さらに下側には、別のメモリセルアレイが配置されている。
【００５２】
図９〜図１３では、隣接配置されたタップセルＴＣＡ１，ＴＣＡ２およびその周辺のレイアウトを示している。タップセルＴＣＡ１は、メモリセルＭＣ１，ＭＣ２とＹ方向に並ぶ位置に配置されており、タップセルＴＣＡ２は、メモリセルＭＣ３，ＭＣ４とＹ方向に並ぶ位置に配置されている。タップセルＴＣＡ１，ＴＣＡ２の図面上側には、上述したダミーメモリセルＤＣＡ３，ＤＣＡ４がある。
【００５３】
以下、タップセルＴＣＡ１を例にとって、レイアウト構造の詳細について説明する。
【００５４】
タップセルＴＣＡ１におけるＹ方向中央部に、ボトム領域１１１，１１２，１１３が設けられている。ボトム領域１１１は、Ｎ導電型であり、Ｎウェル上に設けられている。ボトム領域１１２，１１３は、Ｐ導電型であり、Ｐ基板またはＰウェル上に設けられている。電源電圧ＶＤＤを供給するＭ２配線１５３、および、電源電圧ＶＳＳを供給するＭ２配線１５４が、Ｘ方向に延びている。Ｍ２配線１５３は、Ｍ１配線１４５を介してボトム領域１１１と接続されている。すなわち、Ｍ２配線１５３は、Ｍ１配線１４５およびボトム領域１１１を介して、Ｎウェルに電源電圧ＶＤＤを供給する。Ｍ２配線１５４は、Ｍ１配線１４６ａ，１４６ｂを介して、ボトム領域１１２，１１３と接続されている。すなわち、Ｍ２配線１５４は、Ｍ１配線１４６ａ，１４６ｂおよびボトム領域１１２，１１３を介して、Ｐ基板またはＰウェルに電源電圧ＶＳＳを供給する。
【００５５】
ここでは、Ｍ２配線１５３，１５４は、メモリセルに電源電圧を供給する他の配線とは接続されていない。すなわち、基板またはウェルへの電源電圧は、メモリセルの電源電圧とは分離して供給される。なお、例えばＭ２配線１５３とＭ３配線６４とを接続し、Ｍ２配線１５４とＭ２配線６３，６５とを接続して、基板またはウェルへの電源電圧とメモリセルの電源電圧とを、分離せずに供給してもかまわない。
【００５６】
また、タップセルＴＣＡ１は、ビット線対ＢＬ，ＢＬＸであるボトム配線１２，１６、および、ビット線対ＢＬ，ＢＬＸであるＭ３配線６２，６６と、平面視で重なりを有している。そしてタップセルＴＣＡ１において、ボトム配線１２は、ローカル配線、Ｍ１配線１４１、Ｍ２配線１５１を介して、Ｍ３配線６２と接続されている。また、ボトム配線１６は、ローカル配線、Ｍ１配線１４２、Ｍ２配線１５２を介して、Ｍ３配線６６と接続されている。
【００５７】
すなわち、タップセルＴＣＡ１は、ビット線ＢＬであるボトム配線１２およびＭ３配線６２を電気的に接続し、反転ビット線ＢＬＸであるボトム配線１６およびＭ３配線６６を電気的に接続するビット線接続部を備えている。このように、ビット線対ＢＬ，ＢＬＸをＭ３配線層に設けて、タップセルにおけるビット線接続部によって、ボトム配線のビット線対ＢＬ，ＢＬＸと接続することによって、ビット線対ＢＬ，ＢＬＸの低抵抗化を実現することができる。
【００５８】
図１４〜図１８は本実施形態におけるタップセルの他のレイアウト構成例である。図１４は平面図、図１５〜図１８は層別の平面図である。具体的には、図１５はＶＮＷ  ＦＥＴおよびその下の層を示し、図１６はローカル配線およびＭ１配線を示し、図１７はＭ１およびＭ２配線を示し、図１８はＭ２およびＭ３配線を示す。図１４〜図１８に示すレイアウトは、上述したメモリセルアレイの上側に位置している。
【００５９】
図１４〜図１８では、隣接配置されたタップセルＴＣＢ１，ＴＣＢ２およびその周辺のレイアウトを示している。タップセルＴＣＢ１は、メモリセルＭＣ１，ＭＣ２とＹ方向に並ぶ位置に配置されており、タップセルＴＣＢ２は、メモリセルＭＣ３，ＭＣ４とＹ方向に並ぶ位置に配置されている。タップセルＴＣＢ１，ＴＣＢ２の図面下側には、上述したダミーメモリセルＤＣＡ１，ＤＣＡ２がある。
【００６０】
以下、タップセルＴＣＢ１を例にとって、レイアウト構造の詳細について説明する。なお、タップセルＴＣＢ１，ＴＣＢ２の構成は、上述したタップセルＴＣＡ１の図面下側半分の構成と同様であり、ここでは説明を省略する場合がある。
【００６１】
タップセルＴＣＢ１におけるＹ方向上側部分に、ボトム領域１１４，１１５，１１６が設けられている。ボトム領域１１４は、Ｎ導電型であり、Ｎウェル上に設けられている。ボトム領域１１５，１１６は、Ｐ導電型であり、Ｐ基板またはＰウェル上に設けられている。電源電圧ＶＤＤを供給するＭ２配線１５７、および、電源電圧ＶＳＳを供給するＭ２配線１５８が、Ｘ方向に延びている。Ｍ２配線１５７は、Ｍ１配線１４７を介してボトム領域１１４と接続されている。すなわち、Ｍ２配線１５７は、Ｍ１配線１４７およびボトム領域１１４を介して、Ｎウェルに電源電圧ＶＤＤを供給する。Ｍ２配線１５８は、Ｍ１配線１４８ａ，１４８ｂを介して、ボトム領域１１５，１１６と接続されている。すなわち、Ｍ２配線１５８は、Ｍ１配線１４８ａ，１４８ｂおよびボトム領域１１５，１１６を介して、Ｐ基板またはＰウェルに電源電圧ＶＳＳを供給する。
【００６２】
ここでは、Ｍ２配線１５７，１５８は、メモリセルに電源電圧を供給する他の配線とは接続されていない。すなわち、基板またはウェルへの電源電圧は、メモリセルの電源電圧とは分離して供給される。なお、例えばＭ２配線１５７とＭ３配線６４とを接続し、Ｍ２配線１５８とＭ２配線６３，６５とを接続して、基板またはウェルへの電源電圧とメモリセルの電源電圧とを、分離せずに供給してもかまわない。
【００６３】
また、タップセルＴＣＢ１は、ビット線対ＢＬ，ＢＬＸであるボトム配線１２，１６、および、ビット線対ＢＬ，ＢＬＸであるＭ３配線６２，６６と、平面視で重なりを有している。そしてタップセルＴＣＢ１において、ボトム配線１２は、ローカル配線、Ｍ１配線１４３、Ｍ２配線１５５を介して、Ｍ３配線６２と接続されている。また、ボトム配線１６は、ローカル配線、Ｍ１配線１４４、Ｍ２配線１５６を介して、Ｍ３配線６６と接続されている。
【００６４】
すなわち、タップセルＴＣＢ１は、ビット線ＢＬであるボトム配線１２およびＭ３配線６２を電気的に接続し、反転ビット線ＢＬＸであるボトム配線１６およびＭ３配線６６を電気的に接続するビット線接続部を備えている。このように、ビット線対ＢＬ，ＢＬＸをＭ３配線層に設けて、タップセルにおけるビット線接続部によって、ボトム配線のビット線対ＢＬ，ＢＬＸと接続することによって、ビット線対ＢＬ，ＢＬＸの低抵抗化を実現することができる。
【００６５】
（第２実施形態）
図１９〜図２１は第２実施形態に係るメモリセルのレイアウト構造の例を示す図である。図１９は全体平面図、図２０および図２１は層別の平面図である。具体的には、図２０はＶＮＷ  ＦＥＴおよびその下の層を示し、図２１はローカル配線およびＭ１配線を示す。
【００６６】
図１９〜図２１では、隣接配置された４個のメモリセルＭＣ１，ＭＣ２，ＭＣ３，ＭＣ４と、その周辺のレイアウトを示している。本実施形態に係るメモリセルは、第１実施形態と同様に、図８（ａ）に示す１ポートメモリセルを実現している。なお、ここでは説明の便宜上、メモリセルアレイは４個のメモリセルＭＣ１，ＭＣ２，ＭＣ３，ＭＣ４からなり、メモリセルアレイの周囲にダミーメモリセルが配置されているものとしている。メモリセルアレイの上下（Ｙ方向における両側）に、ダミーメモリセルＤＣＡ１〜ＤＣＡ４が配置されている。メモリセルアレイの左右（Ｘ方向における両側）に、ダミーメモリセルＤＣＢ１〜ＤＣＢ４が配置されている。メモリセルアレイの四隅の先に、ダミーメモリセルＤＣＣ１〜ＤＣＣ４が配置されている。
【００６７】
各メモリセルＭＣ１〜ＭＣ４は、基本的には、同一構造を有する。メモリセルＭＣ２はメモリセルＭＣ１と同一レイアウトを有する。メモリセルＭＣ３はメモリセルＭＣ１を左右（Ｘ方向）に反転した構造である。メモリセルＭＣ４はメモリセルＭＣ３と同一レイアウトを有する。また、メモリセルアレイの周囲に配置されたダミーメモリセルは、メモリセルＭＣ１〜ＭＣ４の配置に合わせたレイアウトを有している。ただし、メモリセルＭＣ２がメモリセルＭＣ１に対して反転されておらず、メモリセルＭＣ４がメモリセルＭＣ３に対して反転されていないことを除けば、レイアウト構造は第１実施形態とほぼ同様である。このため、Ｍ２配線より上の層別の平面図や、断面図は省略している。
【００６８】
以下、メモリセルＭＣ１を例にとって、レイアウト構造の詳細について説明する。ただし、第１実施形態と同様の構成については、その説明を省略する場合がある。
【００６９】
トランジスタＰＵ１，ＰＵ２，ＰＤ１，ＰＤ２，ＰＤ３，ＰＤ４，ＰＧ１，ＰＧ２は、ＶＮＷ  ＦＥＴであり、それぞれ１個のＶＮＷからなる。トランジスタＰＵ１，ＰＤ１，ＰＤ２，ＰＧ１は、Ｘ方向に並んで配置されている。トランジスタＰＵ２，ＰＤ３，ＰＤ４，ＰＧ２は、Ｘ方向に並んで配置されている。トランジスタＰＵ１の左右（Ｘ方向における両側）に、トランジスタＰＤ１，ＰＤ２がそれぞれ配置されている。トランジスタＰＵ２の左右（Ｘ方向における両側）に、トランジスタＰＤ３，ＰＤ４がそれぞれ配置されている。トランジスタＰＵ１，ＰＵ２はＹ方向に並んで配置されている。トランジスタＰＧ１は、トランジスタＰＵ１の右側であって、トランジスタＰＤ２のさらに右に配置されている。トランジスタＰＧ２は、トランジスタＰＵ２の左側であって、トランジスタＰＤ３のさらに左に配置されている。Ｐ導電型のトランジスタＰＵ１，ＰＵ２の下にはＮウェルが形成されており（図示は省略）、Ｎ導電型のトランジスタＰＧ１，ＰＧ２，ＰＤ１，ＰＤ２，ＰＤ３，ＰＤ４の下には、Ｐ基板がある、または、Ｐウェルが形成されている。
【００７０】
ボトム配線２１１，２１２，２１３，２１４，２１５，２１６，２１７が形成されている。ボトム配線２１１，２１２，２１３，２１４，２１５，２１６，２１７は、メモリセルアレイ全体にわたって、Ｙ方向に延びている。ボトム配線２１１，２１３，２１５，２１７は電源電圧ＶＳＳを供給する。ボトム配線２１４は電源電圧ＶＤＤを供給する。ボトム配線２１２はメモリセルＭＣ１，ＭＣ２に接続されるビット線ＢＬであり、ボトム配線２１６はメモリセルＭＣ１，ＭＣ２に接続される反転ビット線ＢＬＸである。
【００７１】
トランジスタＰＵ１，ＰＵ２のボトムは、電源電圧ＶＤＤを供給するボトム配線２１４に接続されている。トランジスタＰＤ１，ＰＤ３のボトムは、電源電圧ＶＳＳを供給するボトム配線２１３に接続されている。トランジスタＰＤ２，ＰＤ４のボトムは、電源電圧ＶＳＳを供給するボトム配線２１５に接続されている。トランジスタＰＧ１のボトムは、反転ビット線ＢＬＸであるボトム配線２１６に接続されている。トランジスタＰＧ２のボトムは、ビット線ＢＬであるボトム配線２１２に接続されている。
【００７２】
トランジスタＰＵ１，ＰＤ１，ＰＤ２のゲート同士は、Ｘ方向に延びるゲート配線２２１によって接続されている。ゲート配線２２１は、トランジスタＰＤ１のゲートから、Ｘ方向における図面左側に引き出されている。トランジスタＰＧ１のゲートから、Ｘ方向における図面右側にゲート配線２２２が引き出されている。トランジスタＰＵ２，ＰＤ３，ＰＤ４のゲート同士は、Ｘ方向に延びるゲート配線２２３によって接続されている。ゲート配線２２３は、トランジスタＰＤ４のゲートから、Ｘ方向における図面右側に引き出されている。トランジスタＰＧ２のゲートから、Ｘ方向における図面左側にゲート配線２２４が引き出されている。
【００７３】
トランジスタＰＵ１，ＰＤ１，ＰＤ２，ＰＧ１のトップは、Ｘ方向に延びるローカル配線２３１に接続されている。ローカル配線２３１は、Ｍ１配線２４１を介して、ゲート配線２２３と接続されている。すなわち、トランジスタＰＵ１，ＰＤ１，ＰＤ２，ＰＧ１のトップと、トランジスタＰＵ２，ＰＤ３，ＰＤ４のゲートとが、ローカル配線２３１、Ｍ１配線２４１、および、ゲート配線２２３を介して接続されている。ローカル配線２３１、Ｍ１配線２４１、および、ゲート配線２２３が、記憶ノードＡに対応する。ローカル配線２３１は、第１信号配線の一例である。Ｍ１配線２４１は、第１接続配線の一例である。
【００７４】
トランジスタＰＵ２，ＰＤ３，ＰＤ４，ＰＧ２のトップは、Ｘ方向に延びるローカル配線２３２に接続されている。ローカル配線２３２は、Ｍ１配線２４２を介して、ゲート配線２２１と接続されている。すなわち、トランジスタＰＵ２，ＰＤ３，ＰＤ４，ＰＧ２のトップと、トランジスタＰＵ１，ＰＤ１，ＰＤ２のゲートとが、ローカル配線２３２、Ｍ１配線２４２、および、ゲート配線２２１を介して接続されている。ローカル配線２３２、Ｍ１配線２４２、および、ゲート配線２２１が、記憶ノードＢに対応する。ローカル配線２３２は、第２信号配線の一例である。Ｍ１配線２４２は、第２接続配線の一例である。
【００７５】
ワード線ＷＬであるＭ２配線２５１は、Ｘ方向に延びている。Ｍ２配線２５１は、Ｙ方向に延びるＭ１配線２４３、ローカル配線、および、ビアを介して、ゲート配線２２４と接続されている。また、Ｍ２配線２５１は、Ｙ方向に延びるＭ１配線２４４、ローカル配線、および、ビアを介して、ゲート配線２２２と接続されている。すなわち、トランジスタＰＧ１，ＰＧ２のゲートは、Ｍ２配線２５１すなわちワード線ＷＬに接続されている。
【００７６】
また、電源電圧ＶＳＳを供給するＭ２配線２５２，２５３は、平面視でメモリセルＭＣ１と重なるように、Ｘ方向に延びている。ただし、Ｍ２配線２５２，２５３は、メモリセルＭＣ１と直接には接続されていない。
【００７７】
Ｍ３配線２６１，２６２，２６３，２６４，２６５，２６６，２６７が形成されている。Ｍ３配線２６１，２６２，２６３，２６４，２６５，２６６，２６７は、メモリセルアレイ全体にわたって、Ｙ方向に延びている。Ｍ３配線２６２はメモリセルＭＣ１，ＭＣ２に接続されるビット線ＢＬであり、Ｍ３配線２６６はメモリセルＭＣ１，ＭＣ２に接続される反転ビット線ＢＬＸである。Ｍ３配線２６２，２６６は、メモリセルＭＣ１と直接には接続されていない。ただし、後述するように、タップセルにおいて、Ｍ３配線２６２は、ビット線ＢＬに対応するボトム配線２１２と接続されており、Ｍ３配線２６６は、反転ビット線ＢＬＸに対応するボトム配線２１６と接続されている。
【００７８】
また、Ｍ３配線２６１，２６３，２６５，２６７は電源電圧ＶＳＳを供給する。Ｍ３配線２６４は電源電圧ＶＤＤを供給する。ただし、Ｍ３配線２６１，２６３，２６５，２６７およびＭ３配線２６４は、メモリセルＭＣ１と直接には接続されていない。
【００７９】
本実施形態に係るＳＲＡＭメモリセルでは、一方のドライブトランジスタが並列接続された２個のトランジスタＰＤ１，ＰＤ２によって構成されており、他方のドライブトランジスタが並列接続された２個のトランジスタＰＤ３，ＰＤ４によって構成されている。これにより、ドライブトランジスタのサイズを大きくすることができるので、ＳＮＭが向上し、歩留まりを高めることができる。加えて、ＳＲＡＭメモリセルを構成するトランジスタＰＵ１，ＰＵ２，ＰＤ１，ＰＤ２，ＰＤ３，ＰＤ４，ＰＧ１，ＰＧ２の配置が、高い対称性を有している。このため、デバイス特性における非対称性が抑制されるので、デバイス特性を向上させることができるとともに、半導体集積回路装置の信頼性を高め、歩留まりを高めることができる。
【００８０】
また、各ボトム配線はＹ方向に延びており、配線幅は同一であり、かつ、配線ピッチは一定である。各ゲート配線はＸ方向に延びており、配線幅は同一であり、かつ、配線ピッチは一定である。各ローカル配線はＸ方向に延びており、配線幅は同一であり、かつ、配線ピッチは一定である。各Ｍ１配線はＹ方向に延びており、配線幅は同一であり、かつ、配線ピッチは一定である。各Ｍ２配線はＸ方向に延びており、配線幅は同一であり、かつ、配線ピッチは一定である。各Ｍ３配線はＹ方向に延びており、配線幅は同一であり、かつ、配線ピッチは一定である。
【００８１】
したがって、半導体集積回路装置の製造精度が向上し、デバイス特性のばらつきが抑制される。なお、各層における配線は、必ずしも全てが、方向、配線幅、または、配線ピッチが同一でなくてもかまわない。
【００８２】
（タップセルのレイアウト）
図２２および図２３は、本実施形態におけるタップセルのレイアウト構成例を示す全体平面図である。なお、ここで説明するレイアウト構造は、第１実施形態とほぼ同様であるため、層別の平面図は省略している。
【００８３】
図２２では、隣接配置されたタップセルＴＣＡ１，ＴＣＡ２およびその周辺のレイアウトを示している。タップセルＴＣＡ１は、メモリセルＭＣ１，ＭＣ２とＹ方向に並ぶ位置に配置されており、タップセルＴＣＡ２は、メモリセルＭＣ３，ＭＣ４とＹ方向に並ぶ位置に配置されている。タップセルＴＣＡ１，ＴＣＡ２の図面上側には、上述したダミーメモリセルＤＣＡ３，ＤＣＡ４がある。
【００８４】
電源電圧ＶＤＤを供給するＭ２配線３５３、および、電源電圧ＶＳＳを供給するＭ２配線３５４が、Ｘ方向に延びている。Ｍ２配線３５３は、Ｍ１配線およびボトム領域を介して、Ｎウェルに電源電圧ＶＤＤを供給する。Ｍ２配線３５４は、Ｍ１配線およびボトム領域を介して、Ｐ基板またはＰウェルに電源電圧ＶＳＳを供給する。
【００８５】
図２３では、隣接配置されたタップセルＴＣＢ１，ＴＣＢ２およびその周辺のレイアウトを示している。タップセルＴＣＢ１は、メモリセルＭＣ１，ＭＣ２とＹ方向に並ぶ位置に配置されており、タップセルＴＣＢ２は、メモリセルＭＣ３，ＭＣ４とＹ方向に並ぶ位置に配置されている。タップセルＴＣＢ１，ＴＣＢ２の図面下側には、上述したダミーメモリセルＤＣＡ１，ＤＣＡ２がある。
【００８６】
電源電圧ＶＤＤを供給するＭ２配線３５７、および、電源電圧ＶＳＳを供給するＭ２配線３５８が、Ｘ方向に延びている。Ｍ２配線３５７は、Ｍ１配線およびボトム領域を介して、Ｎウェルに電源電圧ＶＤＤを供給する。Ｍ２配線３５８は、Ｍ１配線およびボトム領域を介して、Ｐ基板またはＰウェルに電源電圧ＶＳＳを供給する。
【００８７】
その他の構成については、第１実施形態と同様であり、ここではその詳細な説明を省略する。本実施形態に係るタップセルによって、第１実施形態と同様の作用効果が得られる。
【００８８】
すなわち、タップセルＴＣＡ１，ＴＣＢ１は、ビット線ＢＬであるボトム配線２１２およびＭ３配線２６２を電気的に接続し、反転ビット線ＢＬＸであるボトム配線２１６およびＭ３配線２６６を電気的に接続している。このように、ビット線対ＢＬ，ＢＬＸをＭ３配線層に設けて、タップセルにおいて、ボトム配線のビット線対ＢＬ，ＢＬＸと接続することによって、ビット線対ＢＬ，ＢＬＸの低抵抗化を実現することができる。
【００８９】
（他の実施形態）
（その１）
上述したレイアウト構造の例では、ＶＮＷの平面形状は円形であるものとしたが、ＶＮＷの平面形状は円形に限られるものではない。例えば、矩形、長円形などであってもかまわない。例えば長円形の場合、単位面積当たりのＶＮＷの面積が大きくなるので、トランジスタに電流をより多く流すことができ、半導体集積回路装置の高速化が実現できる。
【００９０】
また、ＶＮＷの平面形状が、長円形のように一方向に長く延びる形状である場合には、延びる方向は同一であるのが好ましい。また、端の位置はそろっていることが好ましい。
【００９１】
また、ＳＲＡＭメモリセルにおいて、全てのＶＮＷを同一形状にする必要はなく、異なる平面形状を有するＶＮＷが混在していてもかまわない。例えば、円形のＶＮＷと長円形のＶＮＷとが混在していてもかまわない。
【００９２】
また、上述の実施形態では、１個のトランジスタは１個のＶＮＷからなるものとしたが、１個のトランジスタを複数のＶＮＷによって構成してもかまわない。
【００９３】
（その２）
上述の実施形態では、タップセルにおけるビット線接続部が、ビット線ＢＬであるボトム配線およびＭ３配線を電気的に接続し、反転ビット線ＢＬＸであるボトム配線およびＭ３配線を電気的に接続するものとした。ただし、上述したビット線接続部は、タップセルとは別個に、回路ブロックに設けてもかまわない。
【００９４】
また、上述の実施形態では、ビット線ＢＬおよび反転ビット線ＢＬＸをＭ３配線層に形成した例について説明したが、ビット線ＢＬおよび反転ビット線ＢＬＸを他の層のメタル配線層に形成してもかまわない。
【産業上の利用可能性】
【００９５】
本開示では、ＶＮＷ  ＦＥＴを用いたＳＲＡＭメモリセルについて、ＳＮＭを向上させ、かつ、トランジスタ配置の対称性が高いレイアウトが実現されるので、例えば半導体チップの性能向上に有用である。
【符号の説明】
【００９６】
ＭＣ１〜ＭＣ４  ＳＲＡＭメモリセル
Ａ  第１記憶ノード
Ｂ  第２記憶ノード
ＰＵ１  第１トランジスタ
ＰＤ１  第２トランジスタ
ＰＤ２  第３トランジスタ
ＰＵ２  第４トランジスタ
ＰＤ３  第５トランジスタ
ＰＤ４  第６トランジスタ
ＰＧ１  第７トランジスタ
ＰＧ２  第８トランジスタ
ＢＬ  ビット線
ＢＬＸ  反転ビット線
１，２  メモリセルアレイ
３  ＳＲＡＭメモリセル
１４  ボトム配線
２１  ゲート配線
２３  ゲート配線
３１  ローカル配線（第１信号配線）
３２  ローカル配線（第２信号配線）
４１  Ｍ１配線（第１接続配線）
４２  Ｍ１配線（第２接続配線）
２１４  ボトム配線
２２１  ゲート配線
２２３  ゲート配線
２３１  ローカル配線（第１信号配線）
２３２  ローカル配線（第２信号配線）
２４１  Ｍ１配線（第１接続配線）
２４２  Ｍ１配線（第２接続配線）
【図１】
2019159739.tif 000003
【図２】
2019159739.tif 000004
【図３】
2019159739.tif 000005
【図４】
2019159739.tif 000006
【図５】
2019159739.tif 000007
【図６】
2019159739.tif 000008
【図７】
2019159739.tif 000009
【図８】
2019159739.tif 000010
【図９】
2019159739.tif 000011
【図１０】
2019159739.tif 000012
【図１１】
2019159739.tif 000013
【図１２】
2019159739.tif 000014
【図１３】
2019159739.tif 000015
【図１４】
2019159739.tif 000016
【図１５】
2019159739.tif 000017
【図１６】
2019159739.tif 000018
【図１７】
2019159739.tif 000019
【図１８】
2019159739.tif 000020
【図１９】
2019159739.tif 000021
【図２０】
2019159739.tif 000022
【図２１】
2019159739.tif 000023
【図２２】
2019159739.tif 000024
【図２３】
2019159739.tif 000025
【図２４】
2019159739.tif 000026
【図２５】
2019159739.tif 000027
【手続補正書】
【提出日】令和2年7月31日(2020.7.31)
【手続補正１】
【補正対象書類名】明細書
【補正対象項目名】００３３
【補正方法】変更
【補正の内容】
【００３３】
図８（ａ）に示すように、本実施形態に係るメモリセルは、基本的な構成は６Ｔ型の１ポートメモリセルと同様である。ただし、ドライブトランジスタが、並列接続された２個のトランジスタによって構成されている。具体的には、一方のドライブトランジスタが、並列接続されたトランジスタＰＤ１，ＰＤ２によって構成されており、他方のトランジスタが、並列接続されたトランジスタＰＤ３，ＰＤ４によって構成されている。すなわち、トランジスタＰＵ１と、並列接続されたトランジスタＰＤ１，ＰＤ２とが、ＶＤＤ−ＶＳＳ間に直列に接続されている。トランジスタＰＵ１，ＰＤ１，ＰＤ２はゲート同士が接続されている。トランジスタＰＵ２と、並列接続されたトランジスタＰＤ３，ＰＤ４とが、ＶＤＤ−ＶＳＳ間に直列に接続されている。トランジスタＰＵ２，ＰＤ３，ＰＤ４はゲート同士が接続されている。さらに、本実施形態に係るメモリセルは、ゲートがワード線ＷＬに接続されたアクセストランジスタであるトランジスタＰＧ１，ＰＧ２を有する。トランジスタＰＵ１，ＰＵ２はＰ導電型であり、トランジスタＰＤ１，ＰＤ２，ＰＤ３，ＰＤ４，ＰＧ１，ＰＧ２はＮ導電型である。トランジスタＰＵ１，ＰＤ１，ＰＤ２の接続ノードは記憶ノードＡであり、トランジスタＰＵ２，ＰＤ３，ＰＤ４のゲートと接続されている。トランジスタＰＵ２，ＰＤ３，ＰＤ４の接続ノードは記憶ノードＢであり、トランジスタＰＵ１，ＰＤ１，ＰＤ２のゲートと接続されている。トランジスタＰＧ１は記憶ノードＡとビット線ＢＬとの間に接続されており、トランジスタＰＧ２は記憶ノードＢと反転ビット線ＢＬＸとの間に接続されている。
【手続補正２】
【補正対象書類名】明細書
【補正対象項目名】００５５
【補正方法】変更
【補正の内容】
【００５５】
ここでは、Ｍ２配線１５３，１５４は、メモリセルに電源電圧を供給する他の配線とは接続されていない。すなわち、基板またはウェルへの電源電圧は、メモリセルの電源電圧とは分離して供給される。なお、例えばＭ２配線１５３とＭ３配線６４とを接続し、Ｍ２配線１５４とＭ３配線６３，６５とを接続して、基板またはウェルへの電源電圧とメモリセルの電源電圧とを、分離せずに供給してもかまわない。
【手続補正３】
【補正対象書類名】明細書
【補正対象項目名】００６２
【補正方法】変更
【補正の内容】
【００６２】
ここでは、Ｍ２配線１５７，１５８は、メモリセルに電源電圧を供給する他の配線とは接続されていない。すなわち、基板またはウェルへの電源電圧は、メモリセルの電源電圧とは分離して供給される。なお、例えばＭ２配線１５７とＭ３配線６４とを接続し、Ｍ２配線１５８とＭ３配線６３，６５とを接続して、基板またはウェルへの電源電圧とメモリセルの電源電圧とを、分離せずに供給してもかまわない。
【手続補正４】
【補正対象書類名】明細書
【補正対象項目名】００１０
【補正方法】変更
【補正の内容】
【００１０】
【図１】ＶＮＷ  ＦＥＴを用いたＳＲＡＭメモリセルを備えた回路ブロックの全体構成例を示す図
【図２】第１実施形態に係るＳＲＡＭメモリセルのレイアウト構造の例を示す平面図
【図３】図２のレイアウト構造を示す層別の平面図
【図４】図２のレイアウト構造を示す層別の平面図
【図５】図２のレイアウト構造を示す層別の平面図
【図６】図２のレイアウト構造を示す層別の平面図
【図７】（ａ），（ｂ）は図２のレイアウト構造を示す断面図
【図８】図２の各セルの回路図であり、（ａ）はＳＲＡＭメモリセル、（ｂ）〜（ｄ）はダミーメモリセル
【図９】第１実施形態におけるタップセルのレイアウト構造の例を示す平面図
【図１０】図９のレイアウト構造を示す層別の平面図
【図１１】図９のレイアウト構造を示す層別の平面図
【図１２】図９のレイアウト構造を示す層別の平面図
【図１３】図９のレイアウト構造を示す層別の平面図
【図１４】第１実施形態におけるタップセルのレイアウト構造の例を示す平面図
【図１５】図１４のレイアウト構造を示す層別の平面図
【図１６】図１４のレイアウト構造を示す層別の平面図
【図１７】図１４のレイアウト構造を示す層別の平面図
【図１８】図１４のレイアウト構造を示す層別の平面図
【図１９】第２実施形態に係るＳＲＡＭメモリセルのレイアウト構造の例を示す平面図
【図２０】図１９のレイアウト構造を示す層別の平面図
【図２１】図１９のレイアウト構造を示す層別の平面図
【図２２】第２実施形態におけるタップセルのレイアウト構造の例を示す平面図
【図２３】第２実施形態におけるタップセルのレイアウト構造の例を示す平面図
【図２４】縦型ナノワイヤＦＥＴの基本構造例を示す模式図であり、（ａ）は断面図、（ｂ）は平面図
【図２５】（ａ），（ｂ）は縦型ナノワイヤＦＥＴの基本構造例であって、ローカル配線を用いた構造例を示す模式断面図
【国際調査報告】
2019159739.tif 000028
2019159739.tif 000029
2019159739.tif 000030
2019159739.tif 000031